(57)【要約】      （修正有）【課題】大きさ及び形状の異なる部材を保持できる個装箱を提供する。【解決手段】第１カートリッジフィルタと第２カートリッジフィルタの個装に共用されるカートリッジフィルタ用個装箱は、カートリッジフィルタ用個装箱の側面を構成する４つの側壁片のうち、第１側壁片２２の上縁に上面となる上蓋片２６が設けられ、第２側壁片２３及び第４側壁片２５のうちのいずれか一方の上縁に上蓋片２６の内側に収容される中蓋片２９が設けられている。そして、第１カートリッジフィルタを収容する場合には、第１カートリッジフィルタの一端に中蓋片２９の先端部３５が接触し保持される。第２カートリッジフィルタ１を収容する場合には、中蓋片２９の先端部３５が第２カートリッジフィルタ１のフィンに接触し保持される。【選択図】図３
2007331819.tif 000002
【特許請求の範囲】
【請求項１】
細長い円柱形状の第１カートリッジフィルタと細長い円柱形状を呈し一端側に突出部を有することで上記第１カートリッジフィルタよりも全長が相対的に長くなっている第２カートリッジフィルタの個装に共用され、１枚の板状部材を折り曲げることで外形が直方体形状に組み立てられ、上面となる長手方向の一端側から上記第１カートリッジフィルタあるいは上記第２カートリッジフィルタが内部に収容保持されるカートリッジフィルタ用個装箱であって、
上記第１カートリッジフィルタ及び上記第２カートリッジフィルタのいずれについても他端側が上記カートリッジフィルタ用個装箱の底面に接触した状態で個装可能なカートリッジフィルタ用個装箱において、
上記カートリッジフィルタ用個装箱の側面を構成する４つの側壁片のうち、上記カートリッジフィルタ用個装箱の上面となる上蓋片が上縁に設けられた第１側壁片及びこの第１側壁片に対向する第３側壁片を除く他の２つの側壁片である第２側壁片及び第４側壁片のうちのいずれか一方の上縁に、上記上蓋片の内側に収容される中蓋片が設けられ、
上記中蓋片は、上記カートリッジフィルタ用個装箱の上面開口を略覆う基端部と、上記中蓋片が設けられた側壁片と対向する側壁片の内面に沿うよう上記基端部から折り曲げられる中間部と、カートリッジフィルタ用個装箱の内側に向けて上記中間部から折り曲げられ上記中間部とのなす角度が可変可能な先端部と、を有し、
上記第１カートリッジフィルタを収容する場合には、上記第１カートリッジフィルタの一端に上記中蓋片の上記先端部が接触することで上記第１カートリッジフィルタが上記カートリッジフィルタ用個装箱内に保持され、
上記第２カートリッジフィルタを収容する場合には、上記中蓋片の上記先端部が上記中間部に対して鋭角となるよう折れ曲がった状態で上記第２カートリッジフィルタの上記突出部に接触することで上記第２カートリッジフィルタが上記カートリッジフィルタ用個装箱内に保持されることを特徴とするカートリッジフィルタ用個装箱。
【請求項２】
上記上蓋片は、上記カートリッジフィルタ用個装箱の上面を覆う上蓋部と、上記上蓋部から折り曲げられて上記上蓋部の先端と上記第３側壁片との間に差し込まれる差し込み部と、を有し、上記上蓋部と上記差し込み部との境界の両端部分に切り欠き部が形成され、
上記中蓋片の上記基端部のうち、上蓋片が設けられた側壁片に対向する側壁片の上縁に隣接する側の側部には、上記上蓋部の上記切り欠き部と重なり合う位置に突起部が形成されていることを特徴とする請求項１に記載のカートリッジフィルタ用個装箱。
【請求項３】
細長い円柱形状の第１カートリッジフィルタと細長い円柱形状を呈し一端側に突出部を有することで上記第１カートリッジフィルタよりも全長が相対的に長くなっている第２カートリッジフィルタの個装に共用され、１枚の板状部材を折り曲げることで外形が直方体形状に組み立てられ、上記第１カートリッジフィルタ及び上記第２カートリッジフィルタのいずれについても保持した状態で個装可能なカートリッジフィルタ用個装箱であって、
カートリッジフィルタ用個装箱の長手方向に沿って細長く延びる４つの壁面のうちの一つが上面となり、この上面から上記第１カートリッジフィルタあるいは上記第２カートリッジフィルタが内部に収容されるカートリッジフィルタ用個装箱において、
上記カートリッジフィルタ用個装箱の側面を構成する４つの側壁片のうち、上記カートリッジフィルタ用個装箱の長手方向に沿って細長く延び、互いに対向する第１側壁片あるいは第３側壁片のいずれか一方の上縁に上記カートリッジフィルタ用個装箱の上面となる上蓋片が設けられ、
上記第１側壁片及び上記第３側壁片と共に上記カートリッジフィルタ用個装箱の側壁を構成する第２側壁片及び第４側壁片のいずれか一方の上縁に、上記上蓋片の内側に収容される第１中蓋片が設けられ、他方の上縁に上記上蓋片の内側に収容される第２中蓋片が設けられ、
上記第１中蓋片は、中央部分に切り込みが貫通形成されていると共に、上記カートリッジフィルタ用個装箱の高さよりも長くなるよう形成され、
上記第２中蓋片は、上記上蓋部の内面に沿うように折り曲げられた基端部と、上記基端部に重ね合わされるように折り曲げられた先端部とを有し、上記先端部は、先端部の内側の一部が上記基端部との境界から切り取られ、
上記第１カートリッジフィルタを収容する場合には、上記第１カートリッジフィルタの一端に上記第１中蓋片の先端が接触すると共に、上記第１カートリッジフィルタの他端側の一部が上記第２中蓋片の上記先端部の切り取られた部分の縁に接触することで上記第１カートリッジフィルタが上記カートリッジフィルタ用個装箱内に保持され、
上記第２カートリッジフィルタを収容する場合には、上記第１中蓋片の中央部分に形成された切り込みに上記第２カートリッジフィルタの上記突出部を圧入すると共に、上記第２カートリッジフィルタの他端側の一部が上記第２中蓋片の上記先端部の切り取られた部分の縁に接触することで上記第２カートリッジフィルタが上記カートリッジフィルタ用個装箱内に保持されることを特徴とするカートリッジフィルタ用個装箱。
【請求項４】
上記第１側壁の下端部及び第３側壁の下縁には、上記カートリッジフィルタ用個装箱の底面を構成する下蓋片がそれぞれ形成され、これらの下蓋片のうち相対的に外側に位置する下蓋片の先端の中央部分に係止片が形成され、これらの下蓋片のうち内側に位置する下蓋片の基端の中央部分に上記係止片の先端部分が挿入されるスリット状の貫通孔が形成されていることを特徴とする請求項３に記載のカートリッジフィルタ用個装箱。
【発明の詳細な説明】
【技術分野】
【０００１】
本発明は、カートリッジフィルタ用個装箱に関する。
【背景技術】
【０００２】
特許文献１に開示されているように、一枚の板状の紙を折り曲げることで形成される直方体形状の個装箱が従来から広く知られている。このような個装箱の内部には、商品等の品物が収容可能な空間が画成されている。
【特許文献１】特開２００５−１３２３９６号公報
【発明の開示】
【発明が解決しようとする課題】
【０００３】
ところで、このような個装箱は、内部に収容される品物の大きさや形状に応じて、その形状や大きさが設定されることになる。つまり、品物の品種に応じて、専用の個装箱を用意する必要がある。
【０００４】
例えば、食品工業、製薬工業、その他工業用に使用される円柱状のカートリッジフィルタには、一端面から整流用のフィンが突出して、他端部の外周にシール用のＯリングが装着されているフィン付きタイプ（いわゆるフィン付きシングルオープンフィルタエレメント：下部開放型）と、両端面がシール面となるため上記のようなフィンが設けられていないガスケットタイプ（いわゆるダブルオープンフィルタエレメント：上下部開放型）等がある。
【０００５】
ここで、フィルタ単体のサイズが同一であっても、フィン付きタイプのカートリッジフィルタは、ガスケットタイプのカートリッジフィルタに対して上記フィンが一端から突出している分だけ相対的に長くなっている。そのため、フィン付きタイプのカートリッジフィルタに用いる個装箱は、ガスケットタイプのカートリッジフィルタに用いる個装箱とは別に用意する必要がある。
【０００６】
また、フィン付きタイプのカートリッジフィルタの場合、フィン付きタイプのカートリッジフィルタに被せられた袋や個装箱自体が輸送中にフィンにより突き破られたりしないよう、個装箱に収容された状態で余分な隙間が生じないように上記フィンに被せられるスペーサが別途必要となり、部品点数の増加により作業性の悪化やコストの増加を招く虞がある。
【０００７】
そこで、本発明は、スペーサ等を用いることなく大きさ及び形状の異なる２つのカートリッジフィルタを内部に保持することができるカートリッジフィルタ用個装箱を提供することを目的とする。
【課題を解決するための手段】
【０００８】
そこで、本発明の請求項１は、細長い円柱形状の第１カートリッジフィルタと細長い円柱形状を呈し一端側に突出部を有することで上記第１カートリッジフィルタよりも全長が相対的に長くなっている第２カートリッジフィルタの個装に共用され、１枚の板状部材を折り曲げることで外形が直方体形状に組み立てられ、上面となる長手方向の一端側から上記第１カートリッジフィルタあるいは上記第２カートリッジフィルタが内部に収容保持されるカートリッジフィルタ用個装箱であって、上記第１カートリッジフィルタ及び上記第２カートリッジフィルタのいずれについても他端側が上記カートリッジフィルタ用個装箱の底面に接触した状態で個装可能なカートリッジフィルタ用個装箱において、上記カートリッジフィルタ用個装箱の側面を構成する４つの側壁片のうち、上記カートリッジフィルタ用個装箱の上面となる上蓋片が上縁に設けられた第１側壁片及びこの第１側壁片に対向する第３側壁片を除く他の２つの側壁片である第２側壁片及び第４側壁片のうちのいずれか一方の上縁に、上記上蓋片の内側に収容される中蓋片が設けられ、上記中蓋片は、上記カートリッジフィルタ用個装箱の上面開口を略覆う基端部と、上記中蓋片が設けられた側壁片と対向する側壁片の内面に沿うよう上記基端部から折り曲げられる中間部と、カートリッジフィルタ用個装箱の内側に向けて上記中間部から折り曲げられ上記中間部とのなす角度が可変可能な先端部と、を有し、上記第１カートリッジフィルタを収容する場合には、上記第１カートリッジフィルタの一端に上記中蓋片の上記先端部が接触することで上記第１カートリッジフィルタが上記カートリッジフィルタ用個装箱内に保持され、上記第２カートリッジフィルタを収容する場合には、上記中蓋片の上記先端部が上記中間部に対して鋭角となるよう折れ曲がった状態で上記第２カートリッジフィルタの上記突出部に接触することで上記第２カートリッジフィルタが上記カートリッジフィルタ用個装箱内に保持されることを特徴としている。
【０００９】
また、本発明の請求項２は、請求項１に記載のカートリッジフィルタ用個装箱において、上記上蓋片は、上記カートリッジフィルタ用個装箱の上面を覆う上蓋部と、上記上蓋部から折り曲げられて上記上蓋部の先端と上記第３側壁片との間に差し込まれる差し込み部と、を有し、上記上蓋部と上記差し込み部との境界の両端部分に切り欠き部が形成され、上記中蓋片の上記基端部のうち、上蓋片が設けられた側壁片に対向する側壁片の上縁に隣接する側の側部には、上記上蓋部の上記切り欠き部と重なり合う位置に突起部が形成されていることを特徴としている。
【００１０】
本発明の請求項３は、細長い円柱形状の第１カートリッジフィルタと細長い円柱形状を呈し一端側に突出部を有することで上記第１カートリッジフィルタよりも全長が相対的に長くなっている第２カートリッジフィルタの個装に共用され、１枚の板状部材を折り曲げることで外形が直方体形状に組み立てられ、上記第１カートリッジフィルタ及び上記第２カートリッジフィルタのいずれについても保持した状態で個装可能なカートリッジフィルタ用個装箱であって、カートリッジフィルタ用個装箱の長手方向に沿って細長く延びる４つの壁面のうちの一つが上面となり、この上面から上記第１カートリッジフィルタあるいは上記第２カートリッジフィルタが内部に収容されるカートリッジフィルタ用個装箱において、上記カートリッジフィルタ用個装箱の側面を構成する４つの側壁片のうち、上記カートリッジフィルタ用個装箱の長手方向に沿って細長く延び、互いに対向する第１側壁片あるいは第３側壁片のいずれか一方の上縁に上記カートリッジフィルタ用個装箱の上面となる上蓋片が設けられ、上記第１側壁片及び上記第３側壁片と共に上記カートリッジフィルタ用個装箱の側壁を構成する第２側壁片及び第４側壁片のいずれか一方の上縁に、上記上蓋片の内側に収容される第１中蓋片が設けられ、他方の上縁に上記上蓋片の内側に収容される第２中蓋片が設けられ、上記第１中蓋片は、中央部分に切り込みが貫通形成されていると共に、上記カートリッジフィルタ用個装箱の高さよりも長くなるよう形成され、上記第２中蓋片は、上記上蓋部の内面に沿うように折り曲げられた基端部と、上記基端部に重ね合わされるように折り曲げられた先端部とを有し、上記先端部は、先端部の内側の一部が上記基端部との境界から切り取られ、上記第１カートリッジフィルタを収容する場合には、上記第１カートリッジフィルタの一端に上記第１中蓋片の先端が接触すると共に、上記第１カートリッジフィルタの他端側の一部が上記第２中蓋片の上記先端部の切り取られた部分の縁に接触することで上記第１カートリッジフィルタが上記カートリッジフィルタ用個装箱内に保持され、上記第２カートリッジフィルタを収容する場合には、上記第１中蓋片の中央部分に形成された切り込みに上記第２カートリッジフィルタの上記突出部を圧入すると共に、上記第２カートリッジフィルタの他端側の一部が上記第２中蓋片の上記先端部の切り取られた部分の縁に接触することで上記第２カートリッジフィルタが上記カートリッジフィルタ用個装箱内に保持されることを特徴としている。
【００１１】
そして、本発明の請求項４は、請求項３に記載のカートリッジフィルタ用個装箱において、上記第１側壁の下端部及び第３側壁の下縁には、上記カートリッジフィルタ用個装箱の底面を構成する下蓋片がそれぞれ形成され、これらの下蓋片のうち相対的に外側に位置する下蓋片の先端の中央部分に係止片が形成され、これらの下蓋片のうち内側に位置する下蓋片の基端の中央部分に上記係止片の先端部分が挿入されるスリット状の貫通孔が形成されていることを特徴としている。
【発明の効果】
【００１２】
本発明によれば、一種類のカートリッジフィルタ用個装箱を、スペーサ等の別部品を用いることなく、長さ及び形状の異なる２種類のカートリッジフィルタの個装箱として共用することができるので、カートリッジフィルタを個装箱に梱包する際の作業性を向上させることができる。
【００１３】
また、請求項２に記載の発明によれば、上蓋部と差し込み部との境界の両端部分に形成された切り欠き部に、中蓋片の基端部の側部に形成された突起部が入り込みことにより、上蓋片の浮き上がりを防止することができ、カートリッジフィルタ用個装箱の形状保持性を向上させることができる。
【００１４】
そして、請求項４に記載の発明によれば、係止片の先端部分がスリット状の貫通孔に挿入されることで、細長い下蓋片の浮き上がりを確実に防止することができ、カートリッジフィルタ用個装箱の形状保持性を向上させることができる。
【発明を実施するための最良の形態】
【００１５】
以下、本発明の一実施形態を図面に基づいて詳細に説明する。まず、本発明に係るカートリッジフィルタ用個装箱２１（後述）に収容保持される長さ及び全体形状が互いに異なる２種類のカートリッジフィルタについて説明する。カートリッジフィルタは、例えば食品工業、製薬工業等の工業用に使用されるものである。
【００１６】
図１及び図２は、２種類のカートリッジフィルタのうちの一方である第２カートリッジフィルタ１を示している。
【００１７】
第２カートリッジフィルタ１は、いわゆるフィン付きシングルオープンフィルタエレメントであって、内部にフィルタエレメント２が収容された円柱形状の本体部３と、本体部３の一端に取り付けられた円板状で本体部３と同一外径の一端側アダプタ４と、本体部３の他端に取り付けられた他端側アダプタ５と、から大略構成されている。尚、本体部３は、後述する第１カートリッジフィルタ１１の本体部３と共用されるユニットであり、説明の便宜上、以後本体部３については第１及び第２カートリッジフィルタ１１，１双方で同一の符号を付すものとする。
【００１８】
一端側アダプタ４には、突出部としての整流用のフィン６が一体に形成されている。フィン６は、本体部３の軸方向に沿って突出している。他端側アダプタ５には、外周にシール用のＯリング７，７が装着されており、これらＯリング７，７が第２カートリッジフィルタ１の図示せぬ取り付け側の部材（装置）に対して密着する。
【００１９】
第２カートリッジフィルタ１は、濾過する流体が第２カートリッジフィルタ１の一端側から他端側に向かうように配置され、フィン６による整流作用により本体部３の外周面に沿う流体の流れが本体部３円周方向で略均一となっている。
【００２０】
この第２カートリッジフィルタ１は、本体部３の外周面から本体部３半径方向内側に向かって流体を取り込み、フィルタエレメント２で濾過したのち、他端側アダプタ５を介して本体部３の軸方向に沿って、第２カートリッジフィルタ１の図示せぬ取り付け側の部材（装置）内に濾過した流体を送るものである。
【００２１】
一方、第１カートリッジフィルタ１１（後述の図６を参照）は、上述した第２カートリッジフィルタ１の本体部３と同一形状の本体部３を主体としており、本体部３の両端に円環状で本体部３と同一外径のアダプタ１２（後述の図６を参照）が取り付けられている。
【００２２】
アダプタ１２は、中央に開口を有するものであって、この開口を囲むように配置されたガスケット（図示せず）を介して、第１カートリッジフィルタ１１の図示せぬ取り付け側の部材（装置）に対して密着する。
【００２３】
第１カートリッジフィルタ１１は、本体部３の外周面から本体部３半径方向内側に向かって流体を取り込み、フィルタエレメント２で濾過したのち、片端から第１カートリッジフィルタ１１の図示せぬ取り付け側の部材（装置）内に濾過した流体を送るものである。
【００２４】
このように、第１カートリッジフィルタ１１と第２カートリッジフィルタ１とは同一寸法の本体部３を共用部分としているが、第２カートリッジフィルタ１は本体部３の一端側にフィン６を有することで、第１カートリッジフィルタ１１よりも全長が長くなっている。また、第２カートリッジフィルタ１の他端側アダプタ５は、第１カートリッジフィルタ１１のアダプタ１２に比べて本体部３軸方向に沿った長さが長くなっており、この点でも第２カートリッジフィルタ１は第１カートリッジフィルタ１１よりも相対的に全長が長くなっている。
【００２５】
次に、本発明の要部であるこれら第１カートリッジフィルタ１１及び第２カートリッジフィルタ１に共通して用いられる段ボール等の紙材料からなる第１実施形態のカートリッジフィルタ用個装箱２１について、図３〜図７を用いて説明する。
【００２６】
図３は第１実施形態におけるカートリッジフィルタ用個装箱２１の展開図であり、図４及び図５は組立中のカートリッジフィルタ用個装箱２１の斜視図、図６は組立後のカートリッジフィルタ用個装箱２１内に第１カートリッジフィルタ１１が収容された状態を示す断面図、図７は組立後のカートリッジフィルタ用個装箱２１内に第２カートリッジフィルタ１が収容された状態を示す断面図である。尚、図３中の破線は折り目線を示すものである。
【００２７】
カートリッジフィルタ用個装箱２１は、一枚の板状の紙部材を折り曲げることで外形が細長い直方体形状に組み立てられるものであって、図３に示すように、側面を構成する細長い４つの側壁片２２，２３，２４，２５が折り目線を挟んで連続するように配置されている。すなわち、図３における右から左に向かって第１側壁片２２、第２側壁片２３、第３側壁片２４、第４側壁片２５の順に連続している。
【００２８】
第１側壁片２２には、上縁（図３における上側の縁）にカートリッジフィルタ用個装箱２１の上面となる上蓋片２６が設けられ、下縁（図３における下側の縁）にカートリッジフィルタ用個装箱２１の底面を構成する下蓋片２７ａが設けられ、一側縁（図３における左側の縁）には第２側壁片２３が連続し、他側縁（図３における右側の縁）には第４側壁片２５に対して接着される接着片２８が設けられている。第２側壁片２３には、下縁（図３における下側の縁）にカートリッジフィルタ用個装箱２１の底面を構成する下蓋片２７ｂが設けられ、一側縁（図３における左側の縁）には第３側壁片２４が連続している。組み立てられると第１側壁片２２と対向する第３側壁片２４には、下縁（図３における下側の縁）にカートリッジフィルタ用個装箱２１の底面を構成する下蓋片２７ａが設けられ、一側縁（図３における左側の縁）には第４側壁片２５が連続している。組み立てられると第２側壁片２３と対向する第４側壁片２５には、上縁（図３における上側の縁）に上蓋片２６の内側に収容される細長い矩形板状の中蓋片２９が設けられ、下縁（図３における下側の縁）にカートリッジフィルタ用個装箱２１の底面を構成する下蓋片２７ｂが設けられている。
【００２９】
尚、この第１実施形態において、４つの側壁片２２，２３，２４，２５の幅（図３における左右方向に沿った長さ）は、互いに等しくなるよう設定されている。そして、４つの側壁片２２，２３，２４，２５の長さ（図３における上下方向に沿った長さ）は少なくとも第２カートリッジフィルタ１の全長よりも長くなるように設定されている。また、カートリッジフィルタ用個装箱２１の底面は、上記の４つの下蓋片２７ａ，２７ａ，２７ｂ，２７ｂを互いに係合させ（組み合わせ）ることによって構成されている。
【００３０】
上蓋片２６は、４つの側壁片２２，２３，２４，２５の上縁に囲まれたカートリッジフィルタ用個装箱２１の上面開口を覆う上蓋部３０と、上蓋部３０から折り曲げられて上蓋部３０の先端と第３側壁片２４との間に差し込まれる差し込み部３１と、を有している。また、上蓋部３０と差し込み部３１との境界の両端部分には、切り欠かれて細長い矩形状の隙間となった切り欠き部３２，３２が形成されている。
【００３１】
中蓋片２９は、カートリッジフィルタ用個装箱２１の上面開口を略覆う基端部３３と、第２側壁片２３の内面に沿うよう基端部３３から折り曲げられ、基端部３３と同じ幅の中間部３４と、カートリッジフィルタ用個装箱２１の内側に向けて中間部３４から折り曲げられ中間部３４とのなす角度が可変可能な先端部３５と、を有している。先端部３５は基端部３３と同じ幅に形成されている。
【００３２】
そして、基端部３３のうち第３側壁片２４の上縁に隣接する側の側縁、すなわち基端部３３の他側縁（図３における右側の縁）には、上蓋片２６の切り欠き部３２と重なり合う位置に突起部３６ａ，３６ｂが形成されている。換言すれば、基端部３３の他側縁には、第４側壁片２５に隣接する突起部３６ａと、中間部３４に隣接した突起部３６ｂと、が形成されている。
【００３３】
尚、図３中の３７は組み立てられたカートリッジフィルタ用個装箱２１内に折り曲げられて挿入された中蓋片２９を引き出す際に用いる孔部であり、図３中の３８は上蓋部３０の先端と第３側壁片２４との間に差し込まれた差し込み部３１を引き出す際に用いる半円状に切り抜かれた抜き部である。また、中蓋片２９の中間部３４及び先端部３５の長さ（図３における上下方向に沿った長さ）は、第２カートリッジフィルタ１の全長及びフィン６の長さ（図２における左右方向に沿った長さ）に応じて設定されている。
【００３４】
カートリッジフィルタ用個装箱２１は、図３のように展開された状態から、４つの側壁片２２，２３，２４，２５が隣接する側壁片に対してそれぞれ直交するように折れ目線に沿って折り曲げられ、接着片２８を第４側壁片２５の内面に接着した後に下蓋片２７ａ，２７ａ，２７ｂ，２７ｂを互いに係合させて（組み合わせて）底面を構成する（図４）。
【００３５】
次に、図４のように、上面となるカートリッジフィルタ用個装箱２１の長手方向の一端側の開口から上述した第１カートリッジフィルタ１１もしくは第２カートリッジフィルタ１が挿入される。ここで、第２カートリッジフィルタ１は、その他端側（フィン６がついていない側）からカートリッジフィルタ用個装箱２１の一端側の開口に挿入される。
【００３６】
尚、カートリッジフィルタ用個装箱２１の収容された第１カートリッジフィルタ１１及び第２カートリッジフィルタ１は、その他端側がカートリッジフィルタ用個装箱２１の底面に接触している。
【００３７】
そして、図５に示すように、中蓋片２９を折れ目線から折り曲げて、カートリッジフィルタ用個装箱２１内に挿入することで、内部に収容されたカートリッジフィルタが保持される。
【００３８】
詳述すると、第１カートリッジフィルタ１１の場合には、図６に示すように、中蓋片２９の先端部３５が第１カートリッジフィルタ１１の一端に接触することでカートリッジフィルタ用個装箱２１内に保持されている。すなわち、第１カートリッジフィルタ１１の一端面は中蓋片２９の先端部３５に弾接しており、第１カートリッジフィルタ１１は先端部３５によってカートリッジフィルタ用個装箱２１の底面側に付勢された状態となっている。
【００３９】
一方、第２カートリッジフィルタ１の場合には、図７に示すように、中蓋片２９の先端部３５が中間部３４に対して鋭角となるよう折れ曲がった状態でフィン６に接触することでカートリッジフィルタ用個装箱２１内に保持されている。すなわち、フィン６は、中蓋片２９の先端部３５に弾接しており、実質的に第２カートリッジフィルタ１は先端部３５によってカートリッジフィルタ用個装箱２１の底面側に付勢された状態となっている。
【００４０】
尚、図６及び図７中の３９は、第１カートリッジフィルタ１１あるいは第２カートリッジフィルタ１が入れられているビニール等の袋である。
【００４１】
このように、上述したカートリッジフィルタ用個装箱２１は、スペーサ等の別部品を用いることなく、中蓋片２９の先端部３５の折り曲げ角度を変化させることで、長さ及び形状の異なる第１カートリッジフィルタ１１と第２カートリッジフィルタ１の個装箱として共用することができるので、カートリッジフィルタを個装箱に梱包する際の作業性を向上させることができる。
【００４２】
そして、上蓋部３０と差し込み部３１との境界の両端部分に形成された切り欠き部３２，３２に、中蓋片２９の基端部３３の側部に形成された突起部３６ａ，３６ｂがそれぞれ入り込みことにより、上蓋片２６の浮き上がりを防止することができる。
【００４３】
また、上述した第１実施形態のカートリッジフィルタ用個装箱２１においては、底面を構成する下蓋片を図８あるいは図９のように構成するようにしてもよい。図８は、４つの下蓋片４１，４２，４３，４４を互いに係合させて（組み合わせて）底面を構成する他の実施形態である。図９は、カートリッジフィルタ用個装箱２１の底面となる下蓋片４５が第２側壁片２３の下縁に設けられ、第１側壁片２２及び第３側壁片２４の下縁に下蓋片４５よりも内側に折り曲げられる下部中蓋片４６，４６がそれぞれ設けられた他の実施形態である。
【００４４】
次に、本発明の第２実施形態におけるカートリッジフィルタ用個装箱５１について、図１０〜図１２を用いて説明する。
【００４５】
図１０は本発明の第２実施形態におけるカートリッジフィルタ用個装箱５１の展開図であり、図１１は組立後のカートリッジフィルタ用個装箱５１内に第１カートリッジフィルタ１１が収容された状態を示す断面図、図１２は組立後のカートリッジフィルタ用個装箱５１内に第２カートリッジフィルタ１が収容された状態を示す断面図である。尚、図１０中の破線は折り目線を示すものである。
【００４６】
カートリッジフィルタ用個装箱５１は、一枚の板状の紙部材を折り曲げることで外形が細長い直方体形状に組み立てられるものであって、図１０に示すように、側面を構成する４つの側壁片５２，５３，５４，５５が折り目線を挟んで連続するように配置されている。すなわち、図１０における右から左に向かって第１側壁片５２、第２側壁片５３、第３側壁片５４、第４側壁片５５の順に連続している。ここで、第１側壁片５２及びび第３側壁片５４は、第２側壁片５３及び第４側壁片５５に比べて細長くなるよう形成されている。つまり、カートリッジフィルタ用個装箱５１の長手方向に沿って細長く延びる４つの壁面のうちにの一つが上面となっている。
【００４７】
第１側壁片５２には、上縁（図１０における上側の縁）にカートリッジフィルタ用個装箱５１の上面となる上蓋片５６が設けられ、下縁（図１０における下側の縁）にカートリッジフィルタ用個装箱５１の底面を構成する第１下蓋片５７が設けられ、一側縁（図１０における左側の縁）には第２側壁片５３が連続し、他側縁（図１０における右側の縁）には第４側壁片５５に対して接着される接着片５８が設けられている。
【００４８】
第２側壁片５３には、上縁（図１０における上側の縁）に上蓋片５６の内側に収容される細長い矩形板状の第１中蓋片５９が設けられ、下縁（図１０における下側の縁）にカートリッジフィルタ用個装箱５１の底面を構成する第２下蓋片６０が設けられ、一側縁（図１０における左側の縁）には第３側壁片５４が連続している。
【００４９】
組み立てられると第１側壁片５２と対向する第３側壁片５４には、下縁（図１０における下側の縁）にカートリッジフィルタ用個装箱５１の底面を構成する第３下蓋片６１が設けられ、一側縁（図１０における左側の縁）には第４側壁片５５が連続している。
【００５０】
組み立てられると第２側壁片５３と対向する第４側壁片５５には、上縁（図１０における上側の縁）に上蓋片５６の内側に収容される細長い矩形板状の第２中蓋片６２が設けられ、下縁（図１０における下側の縁）にカートリッジフィルタ用個装箱５１の底面を構成する第４下蓋片６３が設けられている。
【００５１】
尚、この第２実施形態において、第１側壁片５２及び第３側壁片５４の長さ（図１０における左右方向に沿った長さ）は、少なくとも第２カートリッジフィルタ１より長くなるよう設定されている。また、カートリッジフィルタ用個装箱５１の底面は、第１〜第４下蓋片５７，６０，６１，６３を互いに係合させ（組み合わせ）ることによって構成されている。
【００５２】
上蓋片５６は、４つの側壁片５２，５３，５４，５５の上縁に囲まれたカートリッジフィルタ用個装箱５１の上面開口を覆う上蓋部６４と、上蓋部６４から折り曲げられて上蓋部６４の先端と第３側壁片５４との間に差し込まれる差し込み部６５と、を有している。
【００５３】
第１中蓋片５９は、中央部分に切り込み６６が貫通形成されている。この切り込み６６は、両端が外側を向いたいわゆる両端矢印のような形状になっており、第２カートリッジフィルタ１が収容される場合には（後述）、フィン６がこの切り込み６６の部分に圧入される。また、第１中蓋片５９は、少なくともカートリッジフィルタ用個装箱５１の高さよりも長くなるよう形成されており、カートリッジフィルタ用個装箱５１を組み立てる際に第１中蓋片５９を内側に折り返しても、第１中蓋片５９と第２側壁片５３とが重なり合ってしまうことはなく、先端がカートリッジフィルタ用個装箱５１の底面に接すると共に、第２側壁片５３の上端からカートリッジフィルタ用個装箱５１の底面に向かって斜めに傾いた状態となる。つまり、カートリッジフィルタ用個装箱５１の長手方向の一端側に第１中蓋部片５９によって第１カートリッジフィルタ１１あるいは第２カートリッジフィルタ１の円柱形状の部分の進入が規制される予備空間６７（図１１及び図１２を参照）が形成されている。
【００５４】
第２中蓋片６２は、上蓋部６４の内面に沿うように折り曲げられた基端部６８と、基端部６８に重ね合わされるように折り曲げられた先端部６９と、を有している。先端部６９は、その内側の一部が基端部６８との境界から切り取られ、内側に矩形状の切り抜き部７０が形成されている。
【００５５】
尚、図１０中の７１は上蓋部６４の先端と第３側壁片５４との間に差し込まれた差し込み部６５を引き出す際に用いる半円状に切り抜かれた抜き部である。
【００５６】
また、第１中蓋片５９の長さ（図１０における上下方向に沿った長さ）は、第２カートリッジフィルタ１の全長（図２における左右方向に沿った長さ）及びフィン６の長さ（図２における左右方向に沿った長さ）に応じて設定される。
【００５７】
そして、第２中蓋片６２の基端部６８及び先端部６９の長さ（図１０における上下方向に沿った長さ）は、第２カートリッジフィルタ１の他端側アダプタ５の長さ（図２における左右方向に沿った長さ）に応じて設定されている。
【００５８】
カートリッジフィルタ用個装箱５１は、図１０のように展開された状態から、４つの側壁片５２，５３，５４，５５が隣接する側壁片に対してそれぞれ直交するように折れ目線に沿って折り曲げられ、接着片５８を第４側壁片５５の内面に接着した後に各下蓋片５７，６０，６１，６３を互いに係合させて（組み合わせて）底面を構成する。
【００５９】
カートリッジフィルタ用個装箱５１に第１カートリッジフィルタ１１が収容される場合には、図１１に示すように、第１カートリッジフィルタ１１の一端側に第１中蓋片５９の先端が接触すると共に、第１カートリッジフィルタ１１の他端側の一部が第２中蓋片６２の先端部６９の切り取られた部分の縁に接触することで第１カートリッジフィルタ１１がカートリッジフィルタ用個装箱５１内に保持されている。
【００６０】
一方、カートリッジフィルタ用個装箱５１に第２カートリッジフィルタ１が収容される場合には、図１２に示すように、予備空間６７内にフィン６が収容されることになる。すなわち、第２カートリッジフィルタ１のフィン６は、第１中蓋片５９の中央部分に形成された切り込み６６に圧入され、予備空間６７内で収容保持される。また、第２カートリッジフィルタ１の他端側は、その一部が第２中蓋片６２の先端部６９の切り抜き部７０の縁に接触することで保持されている。
【００６１】
つまり、第２カートリッジフィルタ１は、フィン６が切り込み６６に圧入され予備空間６７内で収容保持されることで一端側がカートリッジフィルタ用個装箱５１内に保持され、他端側アダプタ５の一部が切り抜き部７０の縁に接触することで他端側がカートリッジフィルタ用個装箱５１内に保持されている。
【００６２】
このような第２実施形態のカートリッジフィルタ用個装箱５１は、カートリッジフィルタ用個装箱５１の長手方向に一端側に形成されて予備空間６７内でフィン６が保持されるので、スペーサ等の別部品を用いることなく、長さ及び形状の異なる第１カートリッジフィルタ１１と第２カートリッジフィルタ１の個装箱として共用することができるので、カートリッジフィルタを個装箱に梱包する際の作業性を向上させることができる。
【００６３】
次に、本発明の第３実施形態におけるカートリッジフィルタ用個装箱８１について、図１３〜図１５を用いて説明する。
【００６４】
図１３は本発明の第３実施形態におけるカートリッジフィルタ用個装箱８１の展開図であり、図１４は組立後のカートリッジフィルタ用個装箱８１を上方からみた斜視図、図１５は組立後のカートリッジフィルタ用個装箱８１を下方からみた斜視図である。尚、図１３中の破線は折り目線を示すものである。
【００６５】
ここで、説明の便宜上、上述した第２実施形態のカートリッジフィルタ用個装箱５１と同一構成の部位には同一の符号を付し重複する説明を省略する。
【００６６】
第３実施形態のカートリッジフィルタ用個装箱８１は、上述した第２実施形態のカートリッジフィルタ用個装箱５１と略同一構成となっているが、第１下蓋片５７の先端中央に第１係止片８２が設けられ、第３下蓋片６１の基端中央に第１係止片８２の先端が挿入されるスリット状の第１貫通孔８３が形成されている。また、第３側壁片５４の先端中央に第２係止片８４が設けられ、上蓋部６４の先端中央に第２係止片８４の先端が挿入されるスリット状の第２貫通孔８５が形成されている。
【００６７】
尚、第１係止片８２の基端側は第１下蓋部５７から切り出されて形成され、第２係止片８４の基端側は第３側壁片５４から切り出されて形成されている。
【００６８】
このような第３実施形態においては、図１４に示すように、第２係止片８４が第２貫通孔８５に挿入されることで、細長い上蓋片５６の浮き上がりを確実に防止することができ、カートリッジフィルタ用個装箱８１の形状保持性を向上させることができる。また、図１５に示すように、第１係止片８２が第１貫通孔８３に挿入されることで、細長い第３下蓋片６１の浮き上がりを確実に防止することができ、カートリッジフィルタ用個装箱８１の形状保持性を向上させることができる。
【図面の簡単な説明】
【００６９】
【図１】本発明に係るカートリッジフィルタ用個装箱に収容される第２フィルタカートリッジの斜視図。
【図２】本発明に係るカートリッジフィルタ用個装箱に収容される第２フィルタカートリッジの平面図。
【図３】本発明の第１実施形態におけるカートリッジフィルタ用個装箱の展開図。
【図４】第１実施形態におけるカートリッジフィルタ用個装箱の組立中の斜視図。
【図５】第１実施形態におけるカートリッジフィルタ用個装箱の組立中の斜視図。
【図６】第１実施形態におけるカートリッジフィルタ用個装箱内に第１カートリッジフィルタが収容された状態を示す断面図。
【図７】第１実施形態におけるカートリッジフィルタ用個装箱内に第２カートリッジフィルタが収容された状態を示す断面図。
【図８】カートリッジフィルタ用個装箱の底面を構成する下蓋片の他の構成例を示す説明図。
【図９】カートリッジフィルタ用個装箱の底面を構成する下蓋片の他の構成例を示す説明図。
【図１０】本発明の第２実施形態におけるカートリッジフィルタ用個装箱の展開図。
【図１１】第２実施形態におけるカートリッジフィルタ用個装箱内に第１カートリッジフィルタが収容された状態を示す断面図。
【図１２】第２実施形態におけるカートリッジフィルタ用個装箱内に第２カートリッジフィルタが収容された状態を示す断面図。
【図１３】本発明の第３実施形態におけるカートリッジフィルタ用個装箱の展開図。
【図１４】第３実施形態におけるカートリッジフィルタ用個装箱を上方からみた斜視図。
【図１５】第３実施形態におけるカートリッジフィルタ用個装箱を下方からみた斜視図。
【符号の説明】
【００７０】
２１…カートリッジフィルタ用個装箱
２２…第１側壁片
２３…第２側壁片
２４…第３側壁片
２５…第４側壁片
２６…上蓋片
２９…中蓋片
３３…基端部
３４…中間部
３５…先端部
【図１】
2007331819.tif 000003
【図２】
2007331819.tif 000004
【図３】
2007331819.tif 000005
【図４】
2007331819.tif 000006
【図５】
2007331819.tif 000007
【図６】
2007331819.tif 000008
【図７】
2007331819.tif 000009
【図８】
2007331819.tif 000010
【図９】
2007331819.tif 000011
【図１０】
2007331819.tif 000012
【図１１】
2007331819.tif 000013
【図１２】
2007331819.tif 000014
【図１３】
2007331819.tif 000015
【図１４】
2007331819.tif 000016
【図１５】
2007331819.tif 000017